(57)【要約】【課題】ユーザーの習得レベルに応じた表示を電子マニュアルで提供する。【解決手段】複数データ群からなるデータブロック先頭にタグを設け、タグ内の対応テーブルにより、使用しているユーザーのレベルにふさわしいデータ群を抽出し、表示する。【選択図】        図１
2004185410.tif 000002
【特許請求の範囲】
【請求項１】
単数あるいは複数のデータ群からなるデータブロックからなり、前記データブロックの先頭に設けられたタグに、複数の条件ＩＤとデータ群ＩＤとをそれぞれ対応させたテーブルを設けたことを特徴とするデータシステム。
【請求項２】
条件入力あるいは検知手段を有し、データブロックの読み出しに際して、データブロック先頭のタグのテーブルから、入力あるいは検知された条件ＩＤに対応したデータ群ＩＤのデータ群のみを抽出して表示することを特徴とする請求項１記載のデータシステム。
【請求項３】
一つのアイテムに対し単語あるいは文章からなる複数のフレーズをそれぞれのフレーズに固有のＩＤをつけて前記アイテムＩＤに関連づけて記憶した電子辞書と前記アイテムＩＤを用いて形成された電子文書とからなるデータシステム。
【請求項４】
前記電子文書の読み出しに際して、前記フレーズＩＤと対応した条件を入力あるいは検知する手段を有し、前記アイテムＩＤにより前記電子辞書を検索し、前記条件に合致したフレーズＩＤを有するフレーズを抽出することを特徴とする請求項３記載のデータシステム。
【請求項５】
請求項２または請求項３記載のデータシステムを用いたことを特徴とする電子マニュアル。
【請求項６】
請求項２または請求項３記載のデータシステムを用いたことを特徴とする電子教科書。
【請求項７】
請求項２または請求項３記載のデータシステムを用いたことを特徴とする電子百科事典。
【請求項８】
請求項２または請求項３記載のデータシステムを用いたことを特徴とするホームページ。
【発明の詳細な説明】
【０００１】
【発明の属する技術分野】
本発明は、複数の使用目的や使用者レベルに対して共通のデータから必要部を抽出、あるいは必要形態に変換するデータシステム、特に電子マニュアル等のデータシステム、電子マニュアル、電子教科書、電子百科事典、ホームページに関する。
【０００２】
【従来の技術】
電子マニュアルを例に取り、従来例を説明する。ＰＣや周辺機器のマニュアルは往々にして専門用語が多く、初心者ユーザーにとって非常に使いづらいものが多い。メーカー側もこれに鑑みて、初心者用の別の冊子を設けたり、初心者向けの注釈、例えば“初心者の方は読み飛ばしてください”等の注釈を入れたりして対処している。これはマニュアルがＣＤ−ＲＯＭ等を媒体とする電子データとなっても基本的には変わっていない。
【０００３】
また、重要な用語を解説するための辞書を作成する方法等も提案されている（例えば、特許文献１参照。）。
【０００４】
また、文章の読者のレベルを記憶し、ソース文書をそのレベルに合うように変換するシステムも提案されている（例えば、特許文献２参照。）。
【０００５】
【特許文献１】
特開平７−２８７９９号公報
【特許文献２】
特開平８−６９５２号公報
【０００６】
【発明が解決しようとする課題】
ユーザーのレベルに合わせた冊子を提供することは、コスト面で高くなり、改版等の管理面においてもわずらわしく、望ましくない。また、注釈をつけてもユーザーの理解を超えた情報の氾濫はユーザーの理解を妨げてしまう。わからない表現部分をクリックすると表示される用語解説にしても、操作がわずらわしく使いづらい。また、特開平８−６９５２号公報に提案されているようなシステムはネットワーク等でユーザーとシステムが結ばれていることが条件になるので、独立した電子マニュアルとしては使えない。
【０００７】
本発明はこれら好ましくない点を解消し、同一ソースの電子文書で、それぞれのユーザーのレベルに最適な内容のみを表示する電子マニュアルを提供することを目的としている。
【０００８】
【課題を解決するための手段】
条件入力あるいは検知手段を有し、複数のデータ群からなるデータブロックの読み出しに際して、データブロックの先頭に設けられたタグ中の複数の条件とそれぞれに対応したデータ群ＩＤとの対応テーブルから、条件に対応したデータ群のみを抽出するデータシステム。
【０００９】
また、条件入力あるいは検知手段を有し、フレーズの解読に際してそのアイテムＩＤで電子辞書を検索し、前記条件に合致したフレーズＩＤを有するフレーズのみを抽出するデータシステム。
【００１０】
以上、本発明を整理して要約すれば以下の構成に集約できる。
【００１１】
（１）単数あるいは複数のデータ群からなるデータブロックからなり、前記データブロックの先頭に設けられたタグに、複数の条件ＩＤとデータ群ＩＤとをそれぞれ対応させたテーブルを設けたことを特徴とするデータシステム。
【００１２】
（２）条件入力あるいは検知手段を有し、データブロックの読み出しに際して、データブロック先頭のタグのテーブルから、入力あるいは検知された条件ＩＤに対応したデータ群ＩＤのデータ群のみを抽出して表示することを特徴とする前記（１）記載のデータシステム。
【００１３】
（３）一つのアイテムに対し単語あるいは文章からなる複数のフレーズをそれぞれのフレーズに固有のＩＤをつけて前記アイテムＩＤに関連づけて記憶した電子辞書と前記アイテムＩＤを用いて形成された電子文書とからなるデータシステム。
【００１４】
（４）前記電子文書の読み出しに際して、前記フレーズＩＤと対応した条件を入力あるいは検知する手段を有し、前記アイテムＩＤにより前記電子辞書を検索し、前記条件に合致したフレーズＩＤを有するフレーズを抽出することを特徴とする前記（３）記載のデータシステム。
【００１５】
（５）前記（２）または（３）記載のデータシステムを用いたことを特徴とする電子マニュアル。
【００１６】
（６）前記（２）または（３）記載のデータシステムを用いたことを特徴とする電子教科書。
【００１７】
（７）前記（２）または（３）記載のデータシステムを用いたことを特徴とする電子百科事典。
【００１８】
（８）前記（２）または（３）記載のデータシステムを用いたことを特徴とするホームページ。
【００１９】
【発明の実施の形態】
（第１の実施形態）
プリンターの電子マニュアルを例に取り、本発明の第１の実施例を以下、詳細に説明する。
【００２０】
図１は本発明の電子マニュアルのデータ構成を示す図で左図が全体構成である。文章等のテキストデータで構成された複数のデータＤ１１、Ｄ１２からなるデータブロックＢ１があり、このようなデータブロックＢ１、２、３・・・から全体が構成されている。各ブロックは先頭のタグＴ１、２、３・・・とデータと後端のＥＯＢ（Ｅｎｄ  ｏｆ  ｂｌｏｃｋ）からなる。タグＴ１の構成内容を図１中央上に示す。タグＴ１の先頭にはブロックであることを検出するためのブロック識別子１１、次にブロックＩＤ１２が続く。さらに、ユーザーレベルとユーザーレベルに対応して表示すべきデータの対応テーブル１３が含まれている。これはレベルが初心者のときは、データＤ１１のみを、標準の場合はＤ１２のみを表示し、エキスパートの場合は表示しないことを表すテーブルである。
【００２１】
次にデータＤ１１の構成を図１中央下に示す。データＤ１１は、データであることを検出するためのデータ識別子２１とデータＩＤ２２とデータＤ１１１とブロックＢ１１１とＤ１１２とブロックＢ１１２とＥＯＤ（Ｅｎｄ  ｏｆ  ｄａｔａ）とからなる。
【００２２】
次にデータＤ１１１の構成を図１中央右に示す。データＤ１１１はデータであることを検出するためのデータ識別子１２１とデータＩＤ１２２といくつものフレーズ３１、３２、３３・・・が含まれている。これは電子辞書を検索し、ユーザーレベルに合わせた表現を抽出するためのものである。フレーズ以外の部分に関しては共通に表示されるものである。図１右端にフレーズ３１の構成を示す。フレーズはフレーズであることを検出するためのフレーズ識別子４１とアイテムＩＤ４２とからなる。
【００２３】
フレーズは単語であっても文章であっても、場合により、画像や音声など他の種類のデータであっても構わない。
【００２４】
データ構造は識別子とＥＯＢやＥＯＤを用いることにより、本実施例のように、データの中にブロックが存在し、さらにそのブロックのなかにデータが存在するという入れ子構造をとっても構わない。
【００２５】
また、以上述べたデータ構成はＸＭＬ等の記述言語により、エディターを用いて誰でも簡単に作成することができる。
【００２６】
また、データはテキストデータに限定することなく、画像データ、音声データなどいかなるデータであってもよい。特に画像データにおいては保存形式としてフラッシュピックスを採用した場合、レベルと解像度を対応させれば、レベルに最適な解像度の画像データを表示することができる。
【００２７】
次に、以上述べた構成の電子マニュアルを実際に使用する手順を説明する。ユーザーが電子マニュアルを起動すると図２のような画面が表示される。ユーザーは自分が該当すると思われるレベルを選択する。これ以降、電子マニュアルの表示画面はこのレベルにより制御される。図１におけるデータブロックＢ１、Ｂ１１１、Ｂ１１２のタグの内容を示したのが図３で、例えば、データブロックＢ１では初心者および標準レベルにはＤ１１のデータを、エキスパートにはＤ１２のデータを表示するような対応表になっている。
【００２８】
これらのタグ中の対応表により、何が表示されるのかを表示したのが図４で、初心者及び標準レベルにはデータＤ１１が表示され、エキスパートレベルにはデータＤ１２が表示される。さらにデータＤ１１の内容は初心者レベルに対してはＤ１１１、Ｄ１１１１、Ｄ１１２、Ｄ１１２１が表示され、標準レベルにはＤ１１１、Ｄ１１１２、Ｄ１１２が表示される。
【００２９】
さらにデータＤ１１１内のフレーズの例を図５に示す。図には二つのフレーズ３１、３２が示されており、それぞれＸＸＸＸとＹＹＹＹのアイテムＩＤを持っている。これらを表示する際にＣＰＵはこれらＩＤをもとに電子辞書を検索する。
【００３０】
図６はこれらのＩＤに関連づけて電子辞書に格納されているフレーズを示す図で、ＸＸＸＸは文章の例で、ユーザーへの同じ操作指示がユーザーレベルに対応して３種類格納されている。ＣＰＵは最初の手順でユーザーが選択したレベルのＩＤを持つフレーズを読み出し表示する。すなわち、ユーザーが初心者であれば“ＯＫと書かれた四角に矢印を・・・”を、標準であれば“ＯＫボタンをクリックしてください。”を、エキスパートであれば“確定してください。”を表示する。このようにユーザーレベルに合致した表現が表示されるので、ユーザー側から見ればあたかも３種類の電子マニュアルから自分のレベルに合ったものを選択して用いているような快適な状況を作ることができる。
【００３１】
ＹＹＹＹはフレーズが単語である場合の例で、ＸＸＸＸ同様にレベルに応じた理解しやすい言葉使いになっている。
【００３２】
（第２の実施形態）
第２の実施例は電子教科書である。図７は各学年と表示すべきデータ群との対応表の一部で、例えば１学年ではＤ１１１、１２１、２１１、２２１のみが表示され、３学年ではＤ１１３、１２３、１３３のみが表示される。１学年のユーザーではあるが、非常に進度が進んだ場合、レベルを切り替えることにより、２学年の表示に切り替えることが可能である。逆に３学年のユーザーであるが、理解がはかばかしくない場合、レベルを下に切り替えることにより、２学年、１学年の内容を参照することができる。本システムの大きなメリットは現在直面している分野そのものに関する記述内容を容易に低レベル、高レベルへと切り替えられることである。
【００３３】
図８は表示画面の一例で、ＵＰあるいはＤＯＷＮのアイコンをクリックすることにより表示するレベルを上げたり下げたりすることができる。
【００３４】
本実施例は教科書に限ることなく、教育に関わる教本を受講者の進度に合わせて提供するシステムとしてあらゆるスキルアップの局面に応用可能である。
【００３５】
また、受講者自身が勝手にレベルアップができないよう電子データをロックし、指導者が受講者のレベルアップを認めたときにパスワード入力等によりレベル変更を可能とするシステムとしてもよい。
【００３６】
（第３の実施形態）
第３の実施例は百科事典である。子供から老人まで、家族でひとつの電子百科事典を共有し、閲覧するひとの条件に応じて表現形態を変えることができる。例えば、老人に対してはテキストデータの文字数を減らしてフォントサイズを大きくする、あるいは電子辞書を用いてカタカナ表現を日本語表現に変換する等することができる。
【００３７】
図９は電子辞書に格納されたフレーズの一例でアイテムＩＤＺＺＺＺに対して、老人／成年／小中学生の３つのレベルＩＤに対応したフレーズが格納されている。例えば、老人が電子百科事典を閲覧しようとした際にレベルを選択しておけば大きなフォントで“携帯電話”と表示され、成年レベルを選択していれば標準フォントサイズで“携帯電話”と表示され、小中学生レベルを選択していれば“ケータイ”と表示されるわけである。これらのレベル選択は一番最初に選択されたレベルを登録したユーザー名とリンクさせて記憶しておけば、以後の操作ではユーザー名を選択するだけで、レベルを自動的に合わせることが可能である。
【００３８】
（第４の実施形態）
第４の実施例はゲームである。こどもからおとなまで楽しむＴＶゲーム、特にロールプレイングゲームにおいては数多くの文章表現がなされるので、本発明の電子辞書を用いて、こどもにはひらがな表現、おとなには漢字交じり表現にすることも可能である。図１０はこども向け表現、図１１はおとな向け表現の一例である。
【００３９】
（第５の実施形態）
第５の実施例はインターネットのホームページである。ホームページを本発明のシステムで作成しておけば、さまざまなレベルのユーザーアクセスに対して最適な情報を提供することができる。
【００４０】
【発明の効果】
以上述べたように本発明によれば、同一のソースのデータからなる電子文書を用いながら、閲覧者に最適な表示を提供することができる。また、データが同一ソースであるので、変更を行う際、改版やアップデートをもれることなく確実に行うことができる。
【００４１】
また、同じ電子文書を年齢性別等の差を感じることなく共通に使うことができる。
【図面の簡単な説明】
【図１】本発明のデータ構成図
【図２】本発明の第１の実施例のデータ入力画面を示す図
【図３】（ａ），（ｂ），（ｃ）  本発明の第１の実施例のタグ構成図
【図４】（ａ），（ｂ），（ｃ）  本発明の第１の実施例のレベル別表示内容を示す図
【図５】本発明の第１の実施例のフレーズの構成図
【図６】（ａ），（ｂ）  本発明の第１の実施例の電子辞書のデータ格納状態を示す図
【図７】本発明の第２の実施例のデータ構成を示す図
【図８】本発明の第２の実施例の表示画面を示す図
【図９】本発明の第３の実施例の電子辞書のデータ格納状態を示す図
【図１０】本発明の第４の実施例の表示画面を示す図
【図１１】本発明の第４の実施例の表示画面を示す図
【符号の説明】
Ｂ１、２、３・・・  データブロック
Ｔ１、２、３・・・  タグ
１３  対応テーブル
３１、３２、３３、・・・  フレーズ
【図１】
2004185410.tif 000003
【図２】
2004185410.tif 000004
【図３】
2004185410.tif 000005
【図４】
2004185410.tif 000006
【図５】
2004185410.tif 000007
【図６】
2004185410.tif 000008
【図７】
2004185410.tif 000009
【図８】
2004185410.tif 000010
【図９】
2004185410.tif 000011
【図１０】
2004185410.tif 000012
【図１１】
2004185410.tif 000013